【手続補正書】
【提出日】令和1年11月11日(2019.11.11)
【手続補正１】
【補正対象書類名】特許請求の範囲
【補正対象項目名】全文
【補正方法】変更
【補正の内容】
【特許請求の範囲】
【請求項１】
（ｉ）（１）ヒドロフルオロエチレン、ヒドロフルオロプロペン、ヒドロフルオロブテン、ヒドロフルオロペンテン、及びこれらの組合せからなる群から選択される１種類以上のヒドロフルオロオレフィンモノマー、（２）１種類以上のビニルエステルモノマー、及び（３）１種類以上のビニルエーテルモノマー（ビニルエーテルモノマーの少なくとも一部はヒドロキシル基含有ビニルエーテルモノマーである）の共重合生成物を含み、フルオロコポリマーは約１０，０００より高い数平均分子量を有する１種類以上のフルオロコポリマー；
（ｉｉ）１種類以上のＶＯＣ化合物を含むキャリア；並びに
（ｉｉｉ）（ａ）ラジカルスキャベンジャー、及び（ｂ）ＵＶ光の吸収剤を含む安定剤；
を含み；
被覆組成物は約３０重量％以下のキャリアを含む、向上した光沢保持特性を有する保護被覆組成物。
【請求項２】
１種類以上のヒドロフルオロオレフィンモノマーが、２，３，３，３−テトラフルオロプロペン、１，３，３，３−テトラフルオロプロペン、及びこれらの組合せから選択される、請求項１に記載の保護被覆。
【請求項３】
１種類以上のヒドロフルオロオレフィンモノマーがトランス−１，３，３，３−テトラフルオロプロペンを含む、請求項１に記載の保護被覆。
【請求項４】
ビニルエステルが、式：ＣＨ２＝ＣＲ１−Ｏ（Ｃ＝Ｏ）ｘＲ２（式中、ｘは１であり、Ｒ１は水素又はメチル基であり、Ｒ２は、１〜１２個の炭素原子を有する非置換の直鎖、分岐鎖、又は脂環式アルキル基からなる群から選択される）を有する、請求項１に記載の保護被覆。
【請求項５】
ビニルエーテルが、式：ＣＨ２＝ＣＲ３−ＯＲ４（式中、Ｒ３は水素又はメチル基であり、Ｒ４は、１〜１２個の炭素原子を有する非置換の直鎖、分岐鎖、又は脂環式アルキル基からなる群から選択される）のビニルエーテルを含む、請求項１に記載の保護被覆。
【請求項６】
（ｉ）（１）約４０モル％〜約６０モル％の、ヒドロフルオロエチレン、ヒドロフルオロプロペン、ヒドロフルオロブテン、及びヒドロフルオロペンテンからなる群から選択される１種類又は複数のヒドロフルオロオレフィンモノマー；
（２）約５モル％〜４５モル％のビニルエステル、ビニルエーテル、又はこれらの混合物（ここでビニルエステルは、式：ＣＨ２＝ＣＲ１−Ｏ（Ｃ＝Ｏ）ｘＲ２（式中、ｘは１であり、Ｒ１は水素又はメチル基であり、Ｒ２は、１〜１２個の炭素原子を有する非置換の直鎖、分岐鎖、又は脂環式アルキル基からなる群から選択される）を有し、ビニルエーテルは、式：ＣＨ２＝ＣＲ３−ＯＲ４（式中、Ｒ３は水素又はメチル基であり、Ｒ４は、１〜１２個の炭素原子を有する非置換の直鎖、分岐鎖、又は脂環式アルキル基からなる群から選択される）を有する）；及び
（３）約３モル％〜約３０モル％の、式：ＣＨ２＝ＣＲ３−Ｏ−Ｒ５−ＯＨ（式中、Ｒ３は水素又はメチル基であり、Ｒ５は、Ｃ２〜Ｃ１２の非置換の直鎖、分岐鎖、又は脂環式アルキル基からなる群から選択される）によって表されるヒドロキシアルキルビニルエーテル；（ここで、モル％はコポリマー中のモノマーの合計を基準とする）
の共重合生成物を含むフルオロコポリマー：
（ｉｉ）１種類以上のＶＯＣ化合物を含むキャリア；並びに
（ｉｉｉ）（ａ）ラジカルスキャベンジャー、及び（ｂ）ＵＶ光の吸収剤を含む安定剤；を含み；
被覆組成物は約３０重量％以下のキャリアを含む、向上した光沢保持特性を有する保護被覆組成物。
【請求項７】
約４５モル％〜約５５モル％のヒドロフルオロオレフィンモノマー、及び約２０モル％〜約４０モル％のビニルエステル、ビニルエーテル、又はこれらの混合物を含む、請求項５に記載の保護被覆。
【請求項８】
約３モル％〜約２０モル％のヒドロキシアルキルビニルエーテルを含む、請求項７に記載の保護被覆。
【請求項９】
約３モル％〜約１０モル％のヒドロキシアルキルビニルエーテルを含む、請求項８に記載の保護被覆。
【請求項１０】
（ｉ）（１）約４０モル％〜約６０モル％のトランス−ＨＦＯ−１２３４ｚｅから実質的に構成される第１のモノマー；
（２）（Ａ）約５モル％〜約４５モル％の、式：ＣＨ２＝ＣＲ１−Ｏ（Ｃ＝Ｏ）ｘＲ２（式中、ｘは１であり、Ｒ１は水素であり、Ｒ２は、６〜８個の炭素原子を有する非置換の分岐鎖アルキル基である）によって表されるビニルエステルモノマー（ここで、アルキル基は少なくとも１つの第４級炭素原子を含む）；及び
（Ｂ）約１０モル％〜約４０モル％の、式：ＣＨ２＝ＣＲ３−Ｏ−Ｒ４（式中、Ｒ３は水素であり、Ｒ４は、１〜３個の炭素原子を有する置換又は非置換の分岐鎖アルキル基からなる群から選択される）によって表される１種類又は複数のビニルエーテルモノマー；
を含む１種類及び複数の第２のモノマー；及び
（３）約３モル％〜約３０モル％の、式：ＣＨ２＝ＣＲ３−Ｏ−Ｒ５−ＯＨ（式中、Ｒ３は水素であり、Ｒ５は、Ｃ４の非置換直鎖アルキル基である）によって表されるヒドロキシアルキルビニルエーテルから構成される１種類又は複数の第３のモノマー（ここで、第３のモノマーの量は、好ましくは）；
の共重合生成物を含むフルオロポリマー：
（ｉｉ）少なくとも約５０重量％のＣ２〜Ｃ５アルキルアセテートを含むキャリア；並びに
（ｉｉｉ）（ａ）ビス（１，２，２，６，６−ペンタメチル−４−ピペリジニル）セバケート；１−（メチル）−８−（１，２，２，６，６−ペンタメチル−４−ピペリジニル）セバケート；ビス（１−オクチルオキシ−２，２，６−テトラメチル−４−ピペリジル）セバケート；及びこれらの組合せからなる群から選択されるラジカルスキャベンジャー；及び
（ｂ）β−［３−（２−Ｈ−ベンゾトリアゾル−２−イル）−４−ヒドロキシ−５−ｔｅｒｔ−ブチルフェニル］プロピオン酸ポリ（エチレングリコール）３００−エステル；ビス｛ｂ−［３−（２−Ｈ−ベンゾトリアゾル−２−イル）−４−ヒドロキシ−５−ｔｅｒｔ−ブチルフェニル］プロピオン酸｝−ポリ（エチレングリコール）３００−エステル；及びこれらの組合せからなる群から選択される少なくとも１種類の化合物を含むＵＶ光の吸収剤；
を含む安定剤；
を含み；
被覆組成物は約３０重量％以下のキャリアを含む、向上した光沢保持特性を有する保護被覆組成物。
【手続補正２】
【補正対象書類名】明細書
【補正対象項目名】００８５
【補正方法】変更
【補正の内容】
【００８５】
[0076]同じ固形分含量に基づいて商業的に入手できる代替物と比較すると、ＦＰＶＥの粘度は競合品のものよりも遙かに低く；同じ粘度に基づくと、ＦＰＶＥの固形分含量は競合品のものよりも約９〜１０％高い。ＦＰＶＥの低粘度の利益によって、消費者は、ＶＯＣ税の基準値である４２０ｇ／Ｌより低いＶＯＣ（揮発性有機化合物）のレベルを有する被覆配合物を製造することができ、言い換えれば、消費者は、これらの配合物中でＦＰＶＥポリマーを用いることによってＶＯＣ税を支払う必要がなく、一方で、彼らは商業的に入手できる代替物を用いることによっては同じ利益を得ることができない。
本発明は以下の実施態様を含む。
［１］（ｉ）（１）ヒドロフルオロエチレン、ヒドロフルオロプロペン、ヒドロフルオロブテン、ヒドロフルオロペンテン、及びこれらの組合せからなる群から選択される１種類以上のヒドロフルオロオレフィンモノマー、（２）１種類以上のビニルエステルモノマー、及び（３）１種類以上のビニルエーテルモノマー（ビニルエーテルモノマーの少なくとも一部はヒドロキシル基含有ビニルエーテルモノマーである）の共重合生成物を含み、フルオロコポリマーは約１０，０００より高い数平均分子量を有する１種類以上のフルオロコポリマー；
（ｉｉ）１種類以上のＶＯＣ化合物を含むキャリア；並びに
（ｉｉｉ）（ａ）ラジカルスキャベンジャー、及び（ｂ）ＵＶ光の吸収剤を含む安定剤；
を含み；
被覆組成物は約３０重量％以下のキャリアを含む、向上した光沢保持特性を有する保護被覆組成物。
［２］１種類以上のヒドロフルオロオレフィンモノマーがヒドロフルオロプロペンから選択される、［１］に記載の保護被覆。
［３］１種類以上のヒドロフルオロオレフィンモノマーが、２，３，３，３−テトラフルオロプロペン、１，３，３，３−テトラフルオロプロペン、及びこれらの組合せから選択される、［１］に記載の保護被覆。
［４］１種類以上のヒドロフルオロオレフィンモノマーがトランス−１，３，３，３−テトラフルオロプロペンから選択される、［１］に記載の保護被覆。
［５］ビニルエステルが、式：ＣＨ２＝ＣＲ１−Ｏ（Ｃ＝Ｏ）ｘＲ２（式中、ｘは１であり、Ｒ１は水素又はメチル基であり、Ｒ２は、１〜１２個の炭素原子を有する非置換の直鎖、分岐鎖、又は脂環式アルキル基からなる群から選択される）を有する、［１］〜［４］のいずれかに記載の保護被覆。
［６］ビニルエーテルが、式：ＣＨ２＝ＣＲ３−ＯＲ４（式中、Ｒ３は水素又はメチル基であり、Ｒ４は、１〜１２個の炭素原子を有する非置換の直鎖、分岐鎖、又は脂環式アルキル基からなる群から選択される）のビニルエーテルを含む、［１］〜［５］のいずれかに記載の保護被覆。
［７］ラジカルスキャベンジャーがヒンダードアミンラジカルスキャベンジャーである、［１］〜［６］のいずれかに記載の保護被覆。
［８］（ｉ）（１）約４０モル％〜約６０モル％の、ヒドロフルオロエチレン、ヒドロフルオロプロペン、ヒドロフルオロブテン、及びヒドロフルオロペンテンからなる群から選択される１種類又は複数のヒドロフルオロオレフィンモノマー；
（２）約５モル％〜４５モル％のビニルエステル、ビニルエーテル、又はこれらの混合物（ここでビニルエステルは、式：ＣＨ２＝ＣＲ１−Ｏ（Ｃ＝Ｏ）ｘＲ２（式中、ｘは１であり、Ｒ１は水素又はメチル基であり、Ｒ２は、１〜１２個の炭素原子を有する非置換の直鎖、分岐鎖、又は脂環式アルキル基からなる群から選択される）を有し、ビニルエーテルは、式：ＣＨ２＝ＣＲ３−ＯＲ４（式中、Ｒ３は水素又はメチル基であり、Ｒ４は、１〜１２個の炭素原子を有する非置換の直鎖、分岐鎖、又は脂環式アルキル基からなる群から選択される）を有する）；及び
（３）約３モル％〜約３０モル％の、式：ＣＨ２＝ＣＲ３−Ｏ−Ｒ５−ＯＨ（式中、Ｒ３は水素又はメチル基であり、Ｒ５は、Ｃ２〜Ｃ１２の非置換の直鎖、分岐鎖、又は脂環式アルキル基からなる群から選択される）によって表されるヒドロキシアルキルビニルエーテル；（ここで、モル％はコポリマー中のモノマーの合計を基準とする）
の共重合生成物を含むフルオロコポリマー：
（ｉｉ）１種類以上のＶＯＣ化合物を含むキャリア；並びに
（ｉｉｉ）（ａ）ラジカルスキャベンジャー、及び（ｂ）ＵＶ光の吸収剤を含む安定剤；を含み；
被覆組成物は約３０重量％以下のキャリアを含む、向上した光沢保持特性を有する保護被覆組成物。
［９］約４５モル％〜約５５モル％のヒドロフルオロオレフィンモノマーを含む、［８］に記載の保護被覆。
［１０］１種類以上のヒドロフルオロオレフィンモノマーがヒドロフルオロプロペンから選択される、［８］又は［９］に記載の保護被覆。
［１１］１種類以上のヒドロフルオロオレフィンモノマーが、２，３，３，３−テトラフルオロプロペン、１，３，３，３−テトラフルオロプロペン、及びこれらの組合せから選択される、［８］又は［９］に記載の保護被覆。
［１２］１種類以上のヒドロフルオロオレフィンモノマーがトランス−１，３，３，３−テトラフルオロプロペンから選択される、［８］又は［９］に記載の保護被覆。
［１３］約１０モル％〜約４０モル％のビニルエステル、ビニルエーテル、又はこれらの混合物を含む、［８］〜［１２］のいずれかに記載の保護被覆。
［１４］約２０モル％〜約４０モル％のビニルエステル、ビニルエーテル、又はこれらの混合物を含む、［８］〜［１２］のいずれかに記載の保護被覆。
［１５］約３モル％〜約２０モル％のヒドロキシアルキルビニルエーテルを含む、［８］〜［１４］のいずれかに記載の保護被覆。
［１６］約３モル％〜約１０モル％のヒドロキシアルキルビニルエーテルを含む、［８］〜［１４］のいずれかに記載の保護被覆。
［１７］（ｉ）（１）約４０モル％〜約６０モル％のトランス−ＨＦＯ−１２３４ｚｅから実質的に構成される第１のモノマー；
（２）（Ａ）約５モル％〜約４５モル％の、式：ＣＨ２＝ＣＲ１−Ｏ（Ｃ＝Ｏ）ｘＲ２（式中、ｘは１であり、Ｒ１は水素であり、Ｒ２は、６〜８個の炭素原子を有する非置換の分岐鎖アルキル基である）によって表されるビニルエステルモノマー（ここで、アルキル基は少なくとも１つの第４級炭素原子を含む）；及び
（Ｂ）約１０モル％〜約４０モル％の、式：ＣＨ２＝ＣＲ３−Ｏ−Ｒ４（式中、Ｒ３は水素であり、Ｒ４は、１〜３個の炭素原子を有する置換又は非置換の分岐鎖アルキル基からなる群から選択される）によって表される１種類又は複数のビニルエーテルモノマー；
を含む１種類及び複数の第２のモノマー；及び
（３）約３モル％〜約３０モル％の、式：ＣＨ２＝ＣＲ３−Ｏ−Ｒ５−ＯＨ（式中、Ｒ３は水素であり、Ｒ５は、Ｃ４の非置換直鎖アルキル基である）によって表されるヒドロキシアルキルビニルエーテルから構成される１種類又は複数の第３のモノマー（ここで、第３のモノマーの量は、好ましくは）；
の共重合生成物を含むフルオロポリマー：
（ｉｉ）少なくとも約５０重量％のＣ２〜Ｃ５アルキルアセテートを含むキャリア；並びに
（ｉｉｉ）（ａ）ビス（１，２，２，６，６−ペンタメチル−４−ピペリジニル）セバケート；１−（メチル）−８−（１，２，２，６，６−ペンタメチル−４−ピペリジニル）セバケート；ビス（１−オクチルオキシ−２，２，６−テトラメチル−４−ピペリジル）セバケート；及びこれらの組合せからなる群から選択されるラジカルスキャベンジャー；及び
（ｂ）β−［３−（２−Ｈ−ベンゾトリアゾル−２−イル）−４−ヒドロキシ−５−ｔｅｒｔ−ブチルフェニル］プロピオン酸ポリ（エチレングリコール）３００−エステル；ビス｛ｂ−［３−（２−Ｈ−ベンゾトリアゾル−２−イル）−４−ヒドロキシ−５−ｔｅｒｔ−ブチルフェニル］プロピオン酸｝−ポリ（エチレングリコール）３００−エステル；及びこれらの組合せからなる群から選択される少なくとも１種類の化合物を含むＵＶ光の吸収剤；
を含む安定剤；
を含み；
被覆組成物は約３０重量％以下のキャリアを含む、向上した光沢保持特性を有する保護被覆組成物。